【手続補正書】
【提出日】平成22年6月1日(2010.6.1)
【手続補正１】
【補正対象書類名】特許請求の範囲
【補正対象項目名】請求項１
【補正方法】変更
【補正の内容】
【請求項１】
全体に陥没穴状をなし、ドライバビットを嵌合される回動部を有するねじにおいて、
前記回動部は、中心部と、この中心部から外方へ延びる４つの翼係合部とを有し、
各前記翼係合部は、当該ねじの径方向外方へ延びる基端側部分と、この基端側部分からさらに外方へ延びる先端側部分とを有し、
前記翼係合部の基端側部分は等角度間隔で配置されており、
各前記翼係合部は、当該ねじ締め付け時に前記ドライバビットの翼部の回転方向前方に存在することとなる側壁面である締付側側壁面と、この締付側側壁面と反対側に位置し、当該ねじ緩め時に前記ドライバビットの前記翼部の回転方向前方に存在することとなる側壁面である緩め側側壁面とを有し、
各前記翼係合部において、前記先端側部分における前記締付側側壁面は、それぞれ前記基端側部分における前記締付側側壁面から、前記緩め側側壁面から遠ざかる方向に斜めに屈曲されており、
前記中心部は、前記４つの翼係合部の前記基端側部分間において、それぞれ当該ねじの軸心に向かって突出するとともに、深くなるほど該中心部が狭くなることとなるように内方に傾斜する内壁面を有する食い付き部を有しているねじ。
【手続補正２】
【補正対象書類名】特許請求の範囲
【補正対象項目名】請求項９
【補正方法】変更
【補正の内容】
【請求項９】
中心部と、この中心部から外方へ延びる４つの翼係合部とを有し、全体に陥没穴状をなすねじの回動部に嵌合されるドライバビットにおいて、
ビット中心部と、このビット中心部から外方へ延び、前記ねじの前記翼係合部に係合される４つの翼部とを有し、
各前記翼部は、当該ドライバビットの径方向外方へ延びる基端側部分と、この基端側部分からさらに外方へ延びる先端側部分とを有し、
前記翼部の基端側部分は等角度間隔で配置されており、
各前記翼部は、ねじ締め付け時に回転方向前方となる側の側面である締付側側面と、この締付側側面と反対側に位置し、ねじ緩め時に回転方向前方となる側の側面である緩め側側面とを有し、
各前記翼部において、前記先端側部分における前記締付側側面は、前記基端側部分における前記締付側側面から、前記緩め側側面から遠ざかる方向に斜めに屈曲されており、
前記ビット中心部は、前記４つの翼部の前記基端側部分間において、それぞれ外方に対して凹となるとともに、ビット軸方向先端側ほど該ビット中心部が細くなることとなるように内方に傾斜する外壁面を有するビット側食い付き部を有しているドライバビット。
【手続補正３】
【補正対象書類名】特許請求の範囲
【補正対象項目名】請求項１６
【補正方法】変更
【補正の内容】
【請求項１６】
中心部と、この中心部から外方へ延びる４つの翼係合部とを有し、全体に陥没穴状をなすねじの回動部に嵌合されるドライバビットにおいて、
ビット中心部と、このビット中心部から外方へ延び、前記ねじの前記翼係合部に係合される４つの翼部とを有し、
各前記翼部は、当該ドライバビットの径方向外方へ延びる基端側部分と、この基端側部分からさらに外方へ延びる先端側部分とを有し、
前記翼部の基端側部分は等角度間隔で配置されており、
各前記翼部は、ねじ締め付け時に回転方向前方となる側の側面である締付側側面と、この締付側側面と反対側に位置し、ねじ緩め時に回転方向前方となる側の側面である緩め側側面とを有し、
各前記翼部において、前記先端側部分における前記緩め側側面は、前記基端側部分における前記緩め側側面から、前記締付側側面から遠ざかる方向に斜めに屈曲されており、
前記ビット中心部は、前記４つの翼部の前記基端側部分間において、それぞれ外方へ対して凹となるとともに、ビット軸方向先端側ほど該ビット中心部が細くなることとなるように内方に傾斜する外壁面を有するビット側食い付き部を有しているドライバビット。
【手続補正４】
【補正対象書類名】明細書
【補正対象項目名】００１１
【補正方法】変更
【補正の内容】
【００１１】
第一の本発明によるねじは、全体に陥没穴状をなし、ドライバビットを嵌合される回動部を有するねじにおいて、
前記回動部は、中心部と、この中心部から外方へ延びる４つの翼係合部とを有し、
各前記翼係合部は、当該ねじの径方向外方へ延びる基端側部分と、この基端側部分からさらに外方へ延びる先端側部分とを有し、
前記翼係合部の基端側部分は等角度間隔で配置されており、
各前記翼係合部は、当該ねじ締め付け時に前記ドライバビットの翼部の回転方向前方に存在することとなる側壁面である締付側側壁面と、この締付側側壁面と反対側に位置し、当該ねじ緩め時に前記ドライバビットの前記翼部の回転方向前方に存在することとなる側壁面である緩め側側壁面とを有し、
各前記翼係合部において、前記先端側部分における前記締付側側壁面は、それぞれ前記基端側部分における前記締付側側壁面から、前記緩め側側壁面から遠ざかる方向に斜めに屈曲されており、
前記中心部は、前記４つの翼係合部の前記基端側部分間において、それぞれ当該ねじの軸心に向かって突出するとともに、深くなるほど該中心部が狭くなることとなるように内方に傾斜する内壁面を有する食い付き部を有しているものである。
【手続補正５】
【補正対象書類名】明細書
【補正対象項目名】００１２
【補正方法】変更
【補正の内容】
【００１２】
また、第一の本発明によるドライバビットは、中心部と、この中心部から外方へ延びる４つの翼係合部とを有し、全体に陥没穴状をなすねじの回動部に嵌合されるドライバビットにおいて、
ビット中心部と、このビット中心部から外方へ延び、前記ねじの前記翼係合部に係合される４つの翼部とを有し、
各前記翼部は、当該ドライバビットの径方向外方へ延びる基端側部分と、この基端側部分からさらに外方へ延びる先端側部分とを有し、
前記翼部の基端側部分は等角度間隔で配置されており、
各前記翼部は、ねじ締め付け時に回転方向前方となる側の側面である締付側側面と、この締付側側面と反対側に位置し、ねじ緩め時に回転方向前方となる側の側面である緩め側側面とを有し、
各前記翼部において、前記先端側部分における前記締付側側面は、前記基端側部分における前記締付側側面から、前記緩め側側面から遠ざかる方向に斜めに屈曲されており、
前記ビット中心部は、前記４つの翼部の前記基端側部分間において、それぞれ外方に対して凹となるとともに、ビット軸方向先端側ほど該ビット中心部が細くなることとなるように内方に傾斜する外壁面を有するビット側食い付き部を有しているものである。
【手続補正６】
【補正対象書類名】明細書
【補正対象項目名】００２１
【補正方法】変更
【補正の内容】
【００２１】
そして、この場合も、標準的なドライバビットの各翼部の緩め側側面は屈曲していないので、専用のドライバビット（第二の本発明のドライバビット）を用いる場合のように、カムアウトを生じにくくするという効果を最大限に得ることはできない。しかし、第二の本発明のねじを標準的なドライバビットで緩め方向に駆動する場合は、ドライバビットの翼部の緩め側側面とねじの翼係合部の基端側部分における緩め側側壁面の先端部とが最も強く接触するようになり、ねじとドライバビットとの主たる接触部が食い付き部より外側に位置することになるので、専用のドライバビットを使用する場合よりは劣るものの、従来の一般的な十字穴ねじの場合よりも、ねじ緩め時にカムアウトが生じにくくなる。